(57)【特許請求の範囲】
【請求項１】
乳首胴部と、この乳首胴部から突出して形成されている乳頭部とを有する人工乳首であって、前記乳頭部及び／又は前記乳首胴部のうち、この人工乳首を使用者がくわえた際に、使用者の舌と当接する部分には、他の部分より伸長し易い肉薄部が設けられ、この肉薄部は、人工乳首の長手方向に沿って、この肉薄部より肉厚が厚い剛性部を介して、所定の間隔を空けて形成され、
前記乳頭部及び／又は前記乳首胴部のうち、この人工乳首を使用者がくわえた際に、使用者の哺乳窩に当接する側の部分の壁面の肉厚が、前記使用者の舌と当接する部分の壁面の肉厚より厚く形成されていることを特徴とする人工乳首。
【請求項２】
人工乳首の長手方向に関する前記肉薄部の幅が、前記使用者の哺乳窩に当接する側である上部の部分の壁面に向かうにつれて狭くなるように形成されていることを特徴とする請求項１に記載の人工乳首。
【請求項３】
前記使用者の哺乳窩に当接する側の部分の壁面には、人工乳首が哺乳窩に向かって屈曲するための屈曲部が設けられていることを特徴とする請求項１又は請求項２に記載の人工乳首。
【請求項４】
前記屈曲部が、前記使用者の哺乳窩に当接する側の部分の壁面の内側に形成された溝部であることを特徴とする請求項３に記載の人工乳首。
【請求項５】
前記屈曲部が、前記使用者の哺乳窩に当接する側の部分の壁面の外側に形成された溝部であることを特徴とする請求項３に記載の人工乳首。
【発明の詳細な説明】
【０００１】
【発明の属する技術分野】
本発明は、例えば乳幼児等が授乳等に際し、利用する人工乳首に関するものである。
【０００２】
【従来の技術】
従来の人工乳首は、例えば哺乳瓶等に取り付けられ、乳幼児等がこの哺乳瓶等に収容されたミルク等を飲むために用いられている。
このような人工乳首は、図９に示すように構成されている。図９は人工乳首１０の断面図である。すなわち、人工乳首１０は、シリコンゴムで形成され、その内部にミルク等が哺乳瓶等から流入する部分である中空部Ａを有している。そして、このシリコンゴムの部分は、乳首胴部１１と、乳頭部１２等から形成されている。
この乳首胴部１１は、上記哺乳瓶等に取り付けられるためのベース部１１ａと母親の乳房の一部に相当する乳首胴部本体１１ｂとを有している。この乳頭部１２には、ミルク等が噴出する開口１２ａが備えられている。このような人工乳首１０が、図示しない哺乳瓶等に取り付けられ、この哺乳瓶に収容されたミルク等をこの人工乳首１０を介して飲むことになる。
【０００３】
図１０は、乳幼児２０が上記人工乳首１０を使用して、図示しない哺乳瓶中のミルク等を飲んでいる状態を示す図である。図示するように、乳幼児２０は、自己の舌２３の蠕動運動によって、人工乳首１０の乳頭部１２を、自己の上口蓋２１にある哺乳窩２２に対して押しつけることになる。
このとき、これら軟口蓋２４、舌２３及び乳頭部１２によって形成される密閉空間Ｂの圧力は、０（ゼロ）に近い状態となっている。その後、舌２３が蠕動運動によって、口腔の奥側（空間Ｃ側）に密閉を保ちながら移動することで、密閉空間Ｂの陰圧による吸引力が強まる。このとき、密閉空間Ｂを形成していた舌２３を上口蓋２１から離すことで、空間Ｃと連通され、これによって、上記人工乳首１０内のミルク等が乳頭部１２の開口１２ａより噴出し、喉頭蓋２６方向に導かれることになる。
このように口腔内に圧力を発生させることにより、乳幼児２０は人工乳首１０に接続されている哺乳瓶中のミルク等を飲むことになる。
【０００４】
【発明が解決しようとする課題】
ところが、近年、乳幼児２０がミルク等を飲む際に、乳幼児２０の口腔内でどのような動作（哺乳運動）がなされているかについて、研究が行われた結果、以下のような事実が初めて明らかになった。
すなわち、乳幼児２０が、人工乳首１０付き哺乳瓶中のミルク又は母親の母乳を飲む際に、これら人工乳首１０又は母親の乳首が如何なる変形をするかについて、エコーで観察した。その結果、乳幼児２０が、人工乳首１０をくわえた際、その舌２３を蠕動運動させることで、母親の乳首のうち、人工乳首２０の乳頭部１２に相当する乳頭部及び乳輪部が伸長することがわかった。
この伸長は、人工乳首２０のうち、特に舌２３が当接して蠕動運動を行う部分である図９の下側が伸長する傾向が見られた。
これは、乳幼児２０に人工乳首１０付きのミルク入りの哺乳瓶と母親の母乳を与え、その哺乳運動中の人工乳首１０と母親の乳首の伸長状態を計測することにより、判明したものである。
ところで、人工乳首１０は、ミルク等入りの哺乳瓶等に取り付けて用いられ、母親の母乳の代わりに乳幼児に与えられるものであるため、人工乳首１０は、母親の乳首に出来るだけ近似していることが望ましいが、上記の研究結果からは、従来の人工乳首１０は、母親の乳首の乳頭部や乳輪部に相当する部分、特に舌２３が当接する部分が伸長せず、近似していないという問題があった。
【０００５】
本発明は、以上の点に鑑み、母親の乳首により近似している人工乳首を提供することを目的としている。
【０００６】
【課題を解決するための手段】
前記目的は、請求項１の発明によれば、乳首胴部と、この乳首胴部から突出して形成されている乳頭部とを有する人工乳首であって、前記乳頭部及び／又は前記乳首胴部のうち、この人工乳首を使用者がくわえた際に、使用者の舌と当接する部分には、他の部分より伸長し易い肉薄部が設けられ、この肉薄部は、人工乳首の長手方向に沿って、この肉薄部より肉厚が厚い剛性部を介して、所定の間隔を空けて形成され、前記乳頭部及び／又は前記乳首胴部のうち、この人工乳首を使用者がくわえた際に、使用者の哺乳窩に当接する側の部分の壁面の肉厚が、前記使用者の舌と当接する部分の壁面の肉厚より厚く形成されている人工乳首により、達成される。
前記構成によれば、前記乳頭部及び／又は前記乳首胴部のうち、この人工乳首を使用者がくわえた際に、使用者の舌と当接する部分には、他の部分より伸長し易い肉薄部が設けられているので、より伸長することが好ましい部分に形成されている肉薄部が舌により伸ばされることになる。また、この肉薄部は、人工乳首の長手方向に沿って、この肉薄部より肉厚が厚い剛性部を介して、所定の間隔を空けて形成されているので、舌が人工乳首に対して圧力を加えても、この剛性部によって人工乳首が潰れることを未然に防止することができる。
また、前記構成によれば、前記乳頭部及び／又は前記乳首胴部のうち、この人工乳首を使用者がくわえた際に、使用者の哺乳窩に当接する側の部分の壁面の肉厚が、前記使用者の舌と当接する部分の壁面の肉厚より厚く形成されているので、使用者の哺乳窩の形状にフィットするように変形した後に、使用者の舌による蠕動運動が行われても、この使用者の哺乳窩が当接する側の部分の壁面はあまり変形せず、使用者の哺乳窩等にしっかりと配置され、乳頭部が哺乳窩から外れることが未然に防止される。
【００１３】
また、好ましくは、請求項２の発明によれば、請求項１の構成において、人工乳首の長手方向に関する前記肉薄部の幅が、前記使用者の哺乳窩に当接する側である上部の部分の壁面に向かうにつれて狭くなるように形成されている人工乳首である。
【００１４】
前記構成によれば、人工乳首の長手方向に関する前記肉薄部の幅が、前記使用者の哺乳窩に当接する側の部分の壁面に向かうにつれて狭くなるように形成されているので、剛性の弱い肉薄部は、前記使用者の哺乳窩に当接する側の部分の壁面に向かうにつれて、徐々にその面積が小さくなるようになっている。したがって、剛性の弱い部分から徐々に剛性の高い部分へと移行するようになっている。
【００１５】
また、好ましくは、請求項３の発明によれば、請求項１又は請求項２の構成において、前記使用者の哺乳窩に当接する側の部分の壁面には、人工乳首が哺乳窩に向かって屈曲するための屈曲部が設けられている人工乳首である。
【００１６】
前記構成によれば、前記使用者の哺乳窩に当接する側の部分の壁面には、人工乳首が哺乳窩に向かって屈曲するための屈曲部が設けられているので、哺乳窩に当接する側の部分の肉厚が厚くされて、変形しずらくなっても、この屈曲部が屈曲されることにより、人工乳首の乳頭部が哺乳窩の方向に向かい、より正確に哺乳窩に当接されることになる。
【００１７】
また、好ましくは、請求項４の発明によれば、請求項３の構成において、前記屈曲部が、前記使用者の哺乳窩に当接する側の部分の壁面の内側に形成された溝部である人工乳首となる。
【００１８】
前記構成によれば、前記屈曲部が、前記使用者の哺乳窩に当接する側の部分の壁面の内側に形成された溝部であるので、この溝部の部分が屈曲することで、人工乳首の乳頭部が哺乳窩の方向に向かい、より正確に哺乳窩に当接されることになる。
【００１９】
また、好ましくは、請求項５の発明によれば、請求項３の構成において、前記屈曲部が、前記使用者の哺乳窩に当接する側の部分の壁面の外側に形成された溝部である人工乳首となる。
【００２０】
前記構成によれば、前記屈曲部が、前記使用者の哺乳窩に当接する側の部分の壁面の外側に形成された溝部であるので、この溝部の部分が屈曲することで、人工乳首の乳頭部が哺乳窩の方向に向かい、より正確に哺乳窩に当接されることになる。
【００２１】
【発明の実施の形態】
以下、この発明の好適な実施形態を図１乃至図１０を参照しながら、詳細に説明する。
尚、以下に述べる実施形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、本発明の実施の形態にかかる人工乳首１００を示す概略断面図である。図示するように、人工乳首１００は、母親の乳房に相当する略お碗状の乳首胴部１１０と、それに連なって設けられている、母親の乳首に相当する乳頭部１２０とを有している。
また、この乳首胴部１１０の図において下側には、図示しない例えば哺乳瓶本体と接続するための鍔部であるベース部１１２が設けられている。このベース部１１２には、哺乳瓶の中身が減っても瓶内の圧力が外気と変わらないように通気孔１１２ａが設けられている。
また、前記乳頭部１２０の先端には乳頭用開口部１２１が設けられている。この乳頭用開口部１２１は、人工乳首１００の乳首胴部１１０と乳頭部１２０とで形成されている飲料用空間Ｄと連通するようになっている。
【００２３】
この飲料用空間Ｄを形成している人工乳首１００の斜線部分である壁面は、例えばシリコーンで形成されている。このシリコーンで形成されている乳頭部１２０と乳首胴部１１０は、使用者の哺乳窩に当接する側である上部１１１と、使用者の舌が当接する側である下部１１３とを有する。
この上部１１１は、図１の左半分であり、下部１１３は図１に右半分である。
この下部１１３の内面には、溝である肉薄部１２２が例えば６箇所、形成されている。そして、この肉薄部１２２の厚みは最も薄い部分で例えば約１．２ｍｍ程度となっている。また、この肉薄部１２２の幅（図において縦方向）は、上部１１１に向かうにつれて徐々に狭くなるように形成されている。
一方、６箇所、形成されている各肉薄部１２２は、最も薄い部分から徐々に肉厚になるように形成され、剛性部１２３に達するようになっている。ここで、剛性部１２３の肉厚は、例えば約１．９ｍｍ程度と成っている。したがって、各肉薄部１２２と各剛性部１２３との境界部がなだらかになるように構成されており、全体が図１に示すように波形を形成するように配置されている。
【００２４】
このように肉薄部１２２が波型に形成されることにより、肉薄部１２２と剛性部１２３との厚さがなだらかに徐々に変化する。したがって、人工乳首１００の下部１１３の壁面の剛性が徐々に変化するようになっている。
このため、後述する乳幼児の哺乳運動の際、人口乳首１００の一部が、図１の横方向の圧力によって容易に潰れてしまうのを防ぐことができる。
以上のように肉薄部１２２が形成されている人工乳首の下部１１３に対して、上部１１１には、極めて異なる構成を有している。
すなわち、上部１１１の壁面の厚みは、下部１１３の壁面の厚みより厚く形成されている。その厚みは例えば約２．２ｍｍである。
したがって、後述する乳幼児の哺乳運動の際、下部１１１に設けられている剛性部１２３より、より高い剛性が確保されることになる。
また、上部１１１の壁面の内側で乳頭部１２０と乳首胴部１１０の境界近傍には、屈曲部１１１ａが１箇所設けられている。この屈曲部１１１ａは、周囲の壁面より肉薄となっており、その形状は下部１１３に設けられている肉薄部１２２と略同様の構成となっている。
この屈曲部１１１ａで、人工乳首１００は、図において左方向に屈曲し、後述するように、乳頭部１２０が使用者の哺乳窩にしっかりと当接するようになる。
【００２５】
以上のように構成されている人工乳首１００は、ベース部１１２を介して飲料である例えばミルクを収容している哺乳瓶（図示せず）に装着され、哺乳瓶内のミルクが哺乳瓶の瓶口を経て人工乳首１００の飲料用空間Ｄに導かれるように構成されている。
そして、飲料用空間Ｄに導かれたミルクは、乳頭部１２０の乳頭用開口部１２１より人工乳首１００の外部に吐出されることになる。
このような人工乳首１００は、母親が自己の母乳の代わりに、哺乳瓶等を用いて人工乳を乳幼児等に与える際に用いられるため、図１に示すように母親の乳房及び乳首に近似した形状となっている。
【００２６】
本実施の形態にかかる人工乳首１００は、以上のように構成されているが、以下のように使用等される。
先ず、人工乳首１００は、例えばミルク等が収容された例えば哺乳瓶に取り付けられる。この哺乳瓶を母親が保持し、乳幼児の口腔内に人工乳首１００を挿入することで、乳幼児にミルクを与えることになる。
図２は、母親等がこのように人工乳首１００を乳幼児２００の口腔内に挿入し、乳幼児２００が人工乳首１００をくわえた状態を示す図である。図２において哺乳瓶等は省略され、人工乳首１００のみが表されている。
このとき、人工乳首１００の下部１１３が乳幼児２００の舌２３０側に配置されるように、母親等は人工乳首１００を乳幼児２００の口腔内に挿入する。すなわち、人工乳首１００の下部１１３に配置されている肉薄部１２２の部分に対して乳幼児２００の舌２３０が後述する蠕動運動をできる位置に置かれる。
一方、人工乳首１００の上部１１１は、乳幼児２００の哺乳窩２２０から上口蓋２１０及び歯槽堤２８０から口唇２７０までに相当する位置に配置される。
【００２７】
このように、乳幼児２００が人工乳首１００をくわえた状態で、人工乳首１００の上部１１１の乳頭部１２０の先端部は、乳幼児２００の哺乳窩２２０の先端に当接される。このとき、乳幼児２００の舌２３０によって人工乳首１００は図において上方へ押しつけられることになる。
すなわち、人工乳首１００の図２において上部１１１は、乳幼児２００の哺乳窩２２０から上口蓋２１０及び歯槽堤２８０から口唇２７０までの部分に固定されることになる。
このとき、人工乳首１００の上部１１１は、上述のようにその壁面の肉厚が厚く、剛性がある程度、高くなるように形成されているため、哺乳窩２２０の形状にフィットするよう変形し、その上で、しっかりと哺乳窩２２０から口唇２７０までの間に配置されることになる。
ところで、乳幼児２００が、人工乳首１００を介してミルク等を飲む際には、図３から図４に示されているような舌２３０の蠕動運動により哺乳運動を行うことになる。
この図３及び図４は、乳幼児２００が哺乳運動を行っている口腔内の状態を超音波断層撮影装置用いて撮影した連続画像を図示したものである。
図３（ａ）において、哺乳運動を行う乳幼児２００には、哺乳窩２２０という窪みが存在する。この哺乳窩２２０は、乳幼児２００が授乳のため哺乳運動をする期間だけ持っており、その後、成長すると無くなるものである。
【００２８】
母親の乳首は、乳幼児２００の口腔内でこの哺乳窩２２０に入り込む。この状態で口腔内では乳幼児２００の舌２３０が下から乳首に当たり、さらに舌２３０の側面がせりあがって、乳首を包むように密着することになる。
そして、図３（ｂ）（ｃ）に示すように、舌２３０の前方が盛り上がって、乳首を下から押し、この動きは図４（ａ）乃至（ｃ）に示すように、次第に舌２３０の後方へ波うつように移動していくことになる。
この過程で、舌２３０は前方から後方にかけて波うつように蠕動運動を行い、乳首は根元から先端に向けて絞られると共に、乳首が伸びて哺乳窩２２０の先端部分に突き当たる。そして、乳首と舌２３０と上顎との間に閉空間Ｅが形成されることになる。
この図４（ｂ）で示す、閉空間Ｅは、乳首等が伸びることにより、小さくなり、好ましくは、その閉空間Ｅが消滅するまで乳首等が伸びることになる。これにより、この閉空間Ｅは、圧力が０（ゼロ）に近づき、その後、舌２３０の蠕動運動により、この閉空間Ｅが密閉されたまま、舌２３０だけが奥に移動することで、この閉空間Ｅの体積が大きくなり、陰圧による吸引力が高まる。そして、高まった吸引力により、この閉空間Ｅが開放されると、母乳は、勢い良く乳幼児２００の喉頭蓋２６０（図２参照）の方向へ噴出され、この噴出した母乳を飲み込むことで、哺乳運動が終了することになる。
【００２９】
このように乳幼児２００は、舌２３０の蠕動運動を行い、母親の乳首を伸ばし、上記閉空間Ｅを密閉し、体積を狭め、密閉させたまま蠕動運動で、さらに舌２３０を奥に動かすことで、陰圧を効果的に発生させるようにしている。このように陰圧を効果的に発生させることで、母乳の噴出をより促し、より効果的に母乳を飲もうとするものである。
【００３０】
本実施の形態に係る人工乳首１００においても、図１に示すように、その乳頭部１２０及び乳首胴部１１０の下部１１３に肉薄部１２２が７箇所設けられ、この肉薄部１２２に対して乳幼児２００の舌２３０が蠕動運動するため、これら６箇所の薄肉部１２２が伸び、乳頭部１２０及び乳首胴部１１０の下部１１３が乳幼児２００の口腔内で伸びることになる。
このとき、肉薄部１２２が乳頭部１２０から乳首胴部１１０にかけて複数個、所定の間隔で設けられているため、乳頭部１２０及び乳首胴部１１０にかけて、より均等に伸びることになる。
一方、人工乳首１００の乳頭部１２０及び乳首胴部１１０の上部１１１は、上述のようにその壁面の肉厚が厚く、剛性がある程度、高くなるように形成されているため、哺乳窩２２０にフィットするよう変形して、その上で、しっかりと哺乳窩２２０から口唇２７０までの間に配置され、舌２３０の蠕動運動よっても、乳頭部１２０が哺乳窩２２０から外れてしまうことがない。
この状態を示すのが図５である。図５は、哺乳運動を行っている人工乳首１００の状態を哺乳瓶側から見た図である。
図５に示すように、人工乳首１００の上部１１１は、哺乳窩２２０等にしっかりと当接している状態となっており、乳幼児２００の舌２３０による蠕動運動によっても潰れることなく、且つ哺乳窩２２０から外れることなく安定している。
【００３１】
一方、人口乳首１００の下部１１３は、上部１１１より肉薄の壁面で形成され、且つ肉薄部１２２が、所定の間隔で６箇所設けられているため、図で示すように変形して、且つ口腔の奥の方に伸長することになる。
また、人工乳首１００の上部１１１には屈曲部１１１ａが設けられているため、上述のような乳幼児２００の舌２３０による蠕動運動で、人工乳首部１００が下から押されたとき、この屈曲部１１１ａで人工乳首１００は、図２の上方向に屈曲し、より乳頭部１１０が哺乳窩２２０にしっかりと当接されることになる。
この状態を示したのが、図６である。図６に示すように、哺乳運動開始前である破線部分の人工乳首１００は、乳幼児１００の舌２３０による蠕動運動で下から押され、屈曲部１１１ａで屈曲することで上方に変形している（実線部分）。
ところで、上述のこの肉薄部１２２は、波型に形成され、肉薄部１２２と剛性部１２３との厚みがなだらかに徐々に変化しているので、図５に示すように、乳幼児２００の蠕動運動で、人口乳首１００の一部が、図の縦方向の圧力によって容易に潰れてしまうのを防いでいる。
【００３２】
このように人工乳首１００が潰れることなく、且つより伸びることで、図７に示すように、人工乳首１００、舌２３０及び上口蓋２１０等により形成される閉空間Ｅは、図２と比べ小さくなることになる。
これによって、より体積が小さくなった閉空間Ｅ（好ましくは、閉空間Ｅが消滅した状態となる）は、図７に示すように舌２３０の蠕動運動によって、閉状態となる。この後、舌２３０を更に奥に動かすことで、陰圧が生じ図８の矢印方向に人工乳首１００内のミルクが噴出することになる。そして、このミルクの噴出量は、図７の閉空間Ｅの初期の体積が小さければ、その分、大きくなる。
このとき人工乳首１００の上部１１１は、上述のように哺乳窩２２０にフィットした上で、しっかりと当接されており、乳頭部１２０の先端は、哺乳窩２２０の最深部にしっかりと保持されている。したがって、乳幼児２００の舌２３０の蠕動運動で人工乳首１００の下部１１３が伸長し、上述の閉空間Ｅをより小さくすることができる。
【００３３】
したがって、本実施の形態の人工乳首１００は、人工乳首１００の下部１１３がより伸長し、上部１１１は、哺乳窩２２０等に対してしっかりと保持されているため、より実際の母親の乳首に近い動作をすることになる。
このため、上述の閉空間Ｅをより小さくでき、その開放により、より大量のミルクを人工乳首１００から噴出させることができることになる。
そして、これにより、乳幼児２００は、より円滑に、且つより適切にミルクを飲むことができることになる。
さらに、本実施の形態においては、図１に示すように、肉薄部１２２と人工乳首内面１２３の境界部がなだらかに、波形を形成しているため、シリコンゴムにより形成されている人工乳首１００の製造に当たり金型から抜き易く、製造しやすくなっている。
なお、本実施の形態では、人工乳首１００をミルクを収容した哺乳瓶に適用した例を示したが、本発明にかかる人工乳首１００は、これに限らず乳幼児２００がジュース等の液状の飲料を哺乳瓶以外の容器で飲む際にも適用できることは、明らかである。
【００３４】
また、本実施の形態では、人工乳首１００に肉薄部１２２を６ヵ所設けているが、これに限らず、何箇所設けても構わないことは、明らかである。
【００３５】
なお、上述の各実施の形態では、伸長部として複数の肉薄部１２２等を形成したが、これに限らず螺旋状に薄肉部を形成しても構わない。また、薄肉部としてより柔らかい素材を用いても構わない。
さらに、前記各実施の形態の各構成は、その一部を省略したり、上述していない他の任意の組み合わせに変更することができる。
【００３６】
【発明の効果】
以上のように、本発明によれば、母親の乳首により近似している人工乳首を提供することができる。
【図面の簡単な説明】
【図１】本発明の実施の形態にかかる人工乳首を示す概略断面図である。
【図２】図１の人工乳首の乳幼児の口腔内における状態を示す概略図である。
【図３】乳幼児が哺乳運動を行っている口腔内の状態を超音波断層撮影装置用いて撮影した連続画像を図示したものである。
【図４】乳幼児が哺乳運動を行っている口腔内の状態を超音波断層撮影装置用いて撮影した他の連続画像を図示したものである。
【図５】哺乳運動を行っているときの人工乳首の状態を哺乳瓶側から見た概略図である。
【図６】哺乳運動を行っているときの人工乳首の屈曲部の状態を示す概略図である。
【図７】図１の人工乳首の乳幼児の口腔内において伸長した状態を示す概略図である。
【図８】図１の人工乳首が乳幼児の口腔内でミルクを噴出した状態を示す概略図である。
【図９】従来の人工乳首の断面図を表した図である。
【図１０】乳幼児が従来の人工乳首を使用している状態を示す図である。
【符号の説明】
１００・・・人工乳首
１１０・・・乳首胴部
１１１・・・上部
１１１ａ・・・屈曲部
１１２・・・ベース部
１１２ａ・・・通気孔
１１３・・・下部
１２０・・・乳頭部
１２１・・・乳頭用開口部
１２２・・・肉薄部
２００・・・乳幼児
２１０・・・上口蓋
２２０・・・哺乳窩
２３０・・・舌
２６０・・・喉頭蓋
２７０・・・口唇
２８０・・・歯槽堤
Ｄ・・・飲料用空間
【図１】
0004233075.tif 000002
【図２】
0004233075.tif 000003
【図３】
0004233075.tif 000004
【図４】
0004233075.tif 000005
【図５】
0004233075.tif 000006
【図６】
0004233075.tif 000007
【図７】
0004233075.tif 000008
【図８】
0004233075.tif 000009
【図９】
0004233075.tif 000010
【図１０】
0004233075.tif 000011